(57)【要約】【課題】エア・プラグの材質疲労による劣化がなく、流速不安定による測定結果の誤差を生じないこと。【解決手段】弁体に空気経路を設け、空気経路の一端に加圧体を設け他端に空気袋を設ける。空気経路はさらに接続管に接続し、接続管に圧力放出弁を設ける。圧力放出弁は多孔通気性部材のエア・プラグを設ける。圧力放出弁はさらに空気経路に仕切られたピストンが自由に移動可能な状態で接続する。加圧するとき、加圧体により空気を加圧して空気経路に圧送し、空気袋に注入する。血圧を測るとき、エア・プラグに設ける微細で、かつ均一の空気孔により、空気袋の空気を低い空気流量で、空気孔より外部へ安定に放出する。【選択図】図５
0003120617.tif 000002
【実用新案登録請求の範囲】
【請求項１】
弁体と、弁体に導通する空気経路および接続管を設け、
弁体の一端に加圧体を設け、
空気経路の他端に人間の腕または手首取り巻空気袋に接続し、
弁体と接続管に接続する端には、多孔通気性部材製のエア・プラグを設け、
加圧体により空気を接続管を通じて空気袋に注入した後、血圧を測定するとき、エア・プラグの空気が微細で、かつ、安定に通気孔を通過し、外部に放出することを特徴とする、
血圧計加圧装置の圧力放出安定機構。
【請求項２】
前記エア・プラグがファインセラミックス部材であることを特徴とする、請求項１記載の血圧計加圧装置の圧力放出安定機構。
【請求項３】
前記加圧体が手動加圧ボールであることを特徴とする、請求項１記載の血圧計加圧装置の圧力放出安定機構。
【請求項４】
前記加圧体が電動ポンプであることを特徴とする、請求項１記載の血圧計加圧装置の圧力放出安定機構。
【考案の詳細な説明】
【技術分野】
【０００１】
本考案は血圧計加圧装置の圧力放出安定機構に関し、特に一種の多孔通気性部材エア・プラグの微細で、かつ、均一の空気流通孔により、空気流量をゆるやかで安定に放出させ、人間の血圧を測定するときに、パルス信号をより精確に出力できる血圧計加圧装置の圧力放出安定機構に関するものである。
【背景技術】
【０００２】
先行技術の加圧装置は図１、２に示すとおり、装置上に弁体１００を設け、弁体１００に互いに接続した空気経路１０１を設ける。
弁体１００の一端は手動加圧ボール１１０に接続し、他端は人間の腕または手首に取り巻く空気袋(図示しない)に接続する。
さらに、弁体１００と空気経路１０１に垂直した端面にナット１３０をねじ込む。
ナット１３０を弁体１００にねじ込むとき、ギャップを残さないため、ナット１３０の上部にワッシャー１３１を嵌め込んでおく。
ナット１３０の内部にバネ１４０を設け、バネ１４０の上部にピストン１５０を圧入する。ピストン１５０の周りにワッシャー１５１を嵌め込む。
ピストン１５０の突起端は圧力放出弁１６０にねじ込む。
圧力放出弁１６０は弁体１００の他端の開口部で自由に移動できるように取り付ける。
さらに、圧力放出弁１６０の内部は弁体１００に対応する収容空間を設け、収容空間に中空形状のシリカ(ゴム)ホースを設ける。
シリカ(ゴム)ホース１６１の一端は封止状態で、弁体背面の一端に開口部を設ける。
シリカ(ゴム)ホース１６１の表面に縦方向の割れ目１６２１を設け、縦方向の割れ目１６２１は収容空間１６２とシリカ(ゴム)ホース１６１の内部の空気を互いに流通させる。
シリカ(ゴム)ホース１６１の開口部の端面にねじ円筒１６２２を設け、ねじ円筒１６２２の内部に貫通の空気経路１６２３を設ける。
貫通の空気経路１６２３はシリカ(ゴム)ホース１６１の開口部に導通し、ねじ円筒１６２２はメスねじに締め付ける。メスねじは収容空間１６２３に嵌め込んでおく。
この構造により、ねじ円筒１６２２はメスねじを回して、ねじ円筒１６２２はシリカ(ゴム)ホース１６１に係止した割れ目１６２を拡大/縮小させることにより、空気流量の大/小を調節する。
血圧を測るときは、手動加圧ボールにより、加圧空気を空気袋に圧入して、空気圧力が設定された最大圧力値になったとき、加圧を中止して、腕又は手首に取り巻く空気袋の空気は弁体を通過し、収容空間に設けるシリカ(ゴム)ホースの割れ目により、シリカ(ゴム)ホース内部に進入するほか、ねじ円筒内部の空気経路により、空気を外部に放出する(図２)。
パルスセンサーは空気がゆるやかに放出する過程で高/低血圧のパルスを検出し、検出された高/低血圧パルスデータは演算処理を行った後、測定値を表示装置に表示させる。
【考案の開示】
【考案が解決しようとする課題】
【０００３】
しかしながら、圧力放出弁のシリカ(ゴム)ホースは一般のシリカ(ゴム)ホース材質であるため、使用後の劣化、弾性疲労など変形または脆化により、シリカ(ゴム)ホースの割れ目サイズが変化を引き起し、収容空間に進入した空気は微細で、安定に放出できたいため、測定精度が劣る。
【０００４】
さらに、空気を放出する流量は、ねじ円筒とメスねじとの組み合わせにより調節する。
一方、ねじ円筒とメスねじのネジ山は機械加工によるため、ネジ山の間隔を小さくすることに限界があるため、微細間隔に調節することができない。
また、シリカ(ゴム)ホースの縦方向の割れ目も機械加工仕上げによる。このため、空気は微量で安定に放出できないばかりでなく、放出する空気量もまちまちである。よって、計測するときの気圧を下げることができない。
一例として、収容空間に流入する空気流量２-５ｍｍｈｇ/秒で、パルスセンサー(図示しない)１秒あたりに計測する空気圧力降下と計測間隔を短縮することができないほか、計測の精度が落ちる。
【課題を解決するための手段】
【０００５】
本考案は前記した先行技術における血圧測定装置圧力放出流量の不安定により、測定精度の低下および誤判定する欠点を改善するために成されたもので、
および合理的な解決を着手し、研究、設計、分析を繰り返した結果、本考案の血圧計加圧装置の圧力放出安定機構を考案した。
【０００６】
本考案の目的は、弁体、弁体に空気経路を設ける。空気経路の一端に加圧体を設け、他端に人間の腕または手首に取り巻く空気袋を設ける。空気経路はさらに、延伸方向と反対する接続管に接続する。接続管は弁体と一体化成型とし、接続管に圧力放出弁を設け、圧力放出弁は多孔通気性部材のエア・プラグを設ける。圧力放出弁はさらに空気経路に仕切られたピストンが自由に移動可能な状態で接続する。加圧するとき、加圧体により空気を加圧して空気経路に圧送し、空気袋に注入する。圧力放出弁に設ける押しボタンにより、空気を圧力放出弁と接続管との隙間より素早く排出する。さらに、血圧を測るとき、エア・プラグに設ける微細で、かつ均一の空気孔により、空気袋の空気を低い空気流量で、空気孔より外部へ安定に放出できる。この構造により、パルスセンサーは空気流量が微細で、かつ、安定のため、血圧のパルス信号をより精確に検出できる。エア・プラグの材質疲労による劣化がなく、流速不安定による測定結果の誤差を生じない。
【０００７】
すなわち、本願の第１考案は、弁体と、弁体に導通する空気経路および接続管を設け、弁体の一端に加圧体を設け、空気経路の他端に人間の腕または手首取り巻空気袋に接続し、弁体と接続管に接続する端には、多孔通気性部材製のエア・プラグを設け、加圧体により空気を接続管を通じて空気袋に注入した後、血圧を測定するとき、エア・プラグの空気が微細で、かつ、安定に通気孔を通過し、外部に放出することを特徴とする、血圧計加圧装置の圧力放出安定機構を提供する。
本願の第２考案は、前記エア・プラグがファインセラミックス部材であることを特徴とする、前記第１考案の血圧計加圧装置の圧力放出安定機構を提供する。
本願の第３考案は、前記加圧体が手動加圧ボールであることを特徴とする、前記第１考案の血圧計加圧装置の圧力放出安定機構を提供する。
本願の第４考案は、前記加圧体が電動ポンプであることを特徴とする、請求項１記載の血圧計加圧装置の圧力放出安定機構を提供する。
【考案の効果】
【０００８】
本考案は血圧加圧装置の構造が単純で機能が確実のほか、コストを軽減できる。
【考案を実施するための最良の形態】
【０００９】
以降に図面を参照しながら、本考案の実施の形態について説明する。
図３、４、５に示すものは、本考案の血圧計加圧装置の圧力放出安定機構である。
血圧計にケース体９０を設け、ケース体９０は電気回路板８０を内蔵し、測定後の高/低血圧値の表示のため、電気回路板８０に液晶表示パネル７０をケース体９０の表面に突き出して設ける。
【００１０】
ケース体９０はさらに、多孔空気経路の接続管６０を設け、接続管６０にコネク６１を設けて、コネクタ６１は空気袋(図示しない)に接続する。
【００１１】
接続管６０はさらに、パルスセンサー５０、加圧装置１０に接続する。
そのうち、パルスセンサー５０は電気回路板８０に設けて、測定時点の血圧脈動を検出し、高/低血圧値を測定する。
【００１２】
加圧装置１０は弁体２０を設けて、図６に示すとおり、弁体２０に空気経路２１を設け、空気経路２１の一端に加圧体１０を設ける。
【００１３】
本実施例において、手動加圧ボールを設ける。ただし、この種の技術に熟知するものは、電動ポンプにより、取り代わることができる。空気経路２１の他端は接続管６０を介して、他端に人間の腕または手首に取り巻く空気袋(図示しない)を設ける。
空気経路２１はさらに、延伸方向と反対する接続管に接続する。
【００１４】
さらに、図５、６に示すものは、弁体２０の接続管２２に対応した一端に開口部２１１を設け、開口部２１１にナット２１２をねじ込む。
ナット２１２を弁体２０に締めつけた後の隙間を防止するため、ナット２１２上にワッシャー２１３をはめ込んでおく、ナット２１２内部にバネ２１４をはめ込み、バネ２１４の上にピストン２１５を圧入する。
【００１５】
ピストン２１５は空気経路２１において、垂直移動が可能である。ピストン２１５の周りにワッシャー２１６を設けて、ピストン２１５の突起端は圧力放出弁２３に突き出す。
圧力放出弁２３に収容空間２３１を設け、収容空間２３１はピストン２１５の貫通孔２１５１に連結する。
【００１６】
さらに、収容空間２３１に多孔通気性部材のエア・プラグ２４を設ける。本実施例において、ファインセラミックスを用いる。
【００１７】
ただし、この種の技術に熟知するものは、発泡材またはナノテク系もしくはその類似材料によって、取り代わることができる圧力放出弁２３のエア・プラグ２４はピストン２１５を離れる一端に押しボタン２３２を設ける。
【００１８】
加圧するとき、図６に示す通り、加圧体１０により空気を加圧して、空気経路２１に圧送し、空気は空気経路２１を介して、人間の腕または手首に取り巻く空気袋（図示しない）に搬送する。
【００１９】
図７に示すとおり、空気袋の空気を素早く排出するとき、押しボタン２３２を押して、ピストン２１５は元の位置を離れて、空気をピストン２１５と接続管２２間の隙間より、接続管２２に流入し、接続管２２と圧力放出弁２３との間の隙間より、外部に放出する。
【００２０】
図３、８に示すとおり、利用者は血圧を測定するとき、加圧体１０により、空気を空気経路２１に圧送し、空気は空気経路２１を介して、人間の腕または手首取り巻空気袋（図示しない）に搬送する。
【００２１】
空気圧力が設定した最大値になったとき、加圧を中止して、空気袋の空気は空気経路２１およびピストン２１５の貫通孔２１５１により、低い空気流量で、安定にエア・プラグ２４に搬送し、エア・プラグ２４の微細で、かつ、均一の通気孔により、外部に放出する。
【００２２】
パルスセンサー５０は空気が微量で、あつ、安定に流出することにより、血圧のパルス信号をより精確に検出できるほか、エア・プラグ２４は老化による疲労、流速の不安定による測定の誤差を生じない。
【００２３】
パルスセンサー５０は空気がゆるやかに放出する過程で、高/低血圧のパルスを検出して、この低高/低血圧パルスデータを電気回路板８０に伝送・処理の上、測定結果を液晶表示パネル７０に伝送し、表示する。
【００２４】
前記のとおり、本考案の血圧加圧装置の構造が単純で機能が確実のほか、コストを軽減でき、効果を向上できる。
【図面の簡単な説明】
【００２５】
【図１】先行技術の機構の断面概略図である。
【図２】先行装置の部分拡大概略図である。
【図３】本考案実施態様の概略図である。
【図４】本考案バルブ体の立面外観概略図である。
【図５】本考案バルブ体の立面分解図である。
【図６】本考案バルブ体に空気を充填するときの断面動作概略図である。
【図７】本考案バルブ体快速排気するときの断面動作概略図である。
【図８】本考案バルブ体微量で安定に圧力放出するときの断面動作概略図である。
【符号の説明】
【００２６】
１０            加圧体
２０            弁体
２１            空気経路
２２            接続管
２１１            開口部
２１２            ナット
２１３            ワッシャー
２１４            バネ
２１５            ピストン
２１５１          貫通孔
２１６            ワッシャー
２３            圧力放出弁
２３１            収容空間
２３２            押しボタン
２４            エア・プラグ
５０            パルスセンサー
６０            接続管
６１            コネクタ
７０            液晶表示パネル
８０            電気回路板
９０            ケース体
【図１】
0003120617.tif 000003
【図２】
0003120617.tif 000004
【図３】
0003120617.tif 000005
【図４】
0003120617.tif 000006
【図５】
0003120617.tif 000007
【図６】
0003120617.tif 000008
【図７】
0003120617.tif 000009
【図８】
0003120617.tif 000010